(57)【要約】【課題】立設する支柱の破壊強度を向上することのできる支柱脚部の固定構造を提供すること。【解決手段】屋上、ベランダ、床スラブ等に立設し手摺りや柵を設置するための支柱を設置する支柱脚部の固定構造であって、主壁面とその両端側に直角でかつ、互いに対向配設された第２、第３の壁面が断面溝形状を成したチャンネル部材と、前記チャンネル部材の第２、第３の壁面の外側に溶着された２本の異形鉄筋材とからなり、前記異形鉄筋材は、前記チャンネル部材から所定寸法だけ長手方向に突出して形成されたので、立設する支柱のコンクリートとの付着力を増して破壊強度を向上することができる。【選択図】図１
2008174924.tif 000002
【特許請求の範囲】
【請求項１】
屋上、ベランダ、床スラブ等に立設し手摺りや柵を設置するための支柱を設置する支柱脚部の固定構造であって、
主壁面とその両端側に直角でかつ、互いに対向配設された第２、第３の壁面が断面溝形状を成したチャンネル部材と、
前記チャンネル部材の第２、第３の壁面の外側に溶着された２本の異形鉄筋材とからなり、
前記異形鉄筋材は、前記チャンネル部材から所定寸法だけ長手方向に突出して形成されたことを特徴とする支柱脚部の固定構造。
【請求項２】
前記異形鉄筋材は、呼称がＤ１６以上であることを特徴とする請求項１に記載の支柱脚部の固定構造。
【発明の詳細な説明】
【技術分野】
【０００１】
本発明は、屋上、ベランダ、床スラブ等に立設し手摺りや柵を設置する際の支柱脚部の固定構造に関するものである。
【背景技術】
【０００２】
一般に、屋上、ベランダ、床スラブ上に手摺りや柵を設置する場合、支柱を固定するためにチャンネル部材に異形鉄筋を溶接し、コンクリートに埋め込み支柱脚部を固定していた。例えば、図５に示すようにチャンネル部材１の内側に異形鉄筋２、２を溶接し、コンクリートの中に埋め込み支柱の固定に使用していた。従来では、異形鉄筋として例えば、Ｄ１３（公称直径１２．７ｍｍ）を使用、しかもチャンネル部材１の内側に溶着していた。
【発明の開示】
【発明が解決しようとする課題】
【０００３】
しかし、従来の支柱脚部の固定構造にあっては、横方向から負荷を加えると、図７に示すようにコンクリート３に直線状にひび割れが集中し、躯体が壊れることがあった。
【課題を解決するための手段】
【０００４】
前記目的を達成するために、請求項１に記載の発明は、屋上、ベランダ、床スラブ等に立設し手摺りや柵を設置するための支柱を設置する支柱脚部の固定構造であって、主壁面とその両端側に直角でかつ、互いに対向配設された第２、第３の壁面が断面溝形状を成したチャンネル部材と、前記チャンネル部材の第２、第３の壁面の外側に溶着された２本の異形鉄筋材とからなり、前記異形鉄筋材は、前記チャンネル部材から所定寸法だけ長手方向に突出して形成されたことを特徴としている。
【０００５】
また、請求項２に記載の発明において、前記異形鉄筋材は、呼称がＤ１６（公称直径１５．９ｍｍ）以上であることを特徴とするものである。
【発明の効果】
【０００６】
この発明は前記した構成からなるので、以下に説明するような効果を奏することができる。
【０００７】
請求項１に記載の発明では、屋上、ベランダ、床スラブ等に立設し手摺りや柵を設置するための支柱を設置する支柱脚部の固定構造であって、主壁面とその両端側に直角でかつ、互いに対向配設された第２、第３の壁面が断面溝形状を成したチャンネル部材と、前記チャンネル部材の第２、第３の壁面の外側に溶着された２本の異形鉄筋材とからなり、前記異形鉄筋材は、前記チャンネル部材から所定寸法だけ長手方向に突出して形成されたので、負荷がかかった場合に応力が集中することなく分散し、コンクリートが大きな塊となって割れるので、応力が分散し躯体が壊れるまでの耐力を大きくすることができる。
【０００８】
また、請求項２に記載の発明において、前記異形鉄筋材は、呼称がＤ１６以上であるので、コンクリートに対して優しく応力集中が生じる虞れがない。
【発明を実施するための最良の形態】
【０００９】
本発明は、チャンネル部材の互いに対向配設された第２、第３の壁面の外側に溶着された２本の異形鉄筋材とからなり、この異形鉄筋材をチャンネル部材から所定寸法だけ長手方向に突出して形成したので、コンクリートとの親和性が増して強度を高めることができる。
【実施例１】
【００１０】
以下、一実施の形態を示す図面に基づいて本発明を詳細に説明する。図１は本発明に係る支柱脚部の固定構造の一例を示す斜視図、図２は本発明の支柱脚部の固定構造の使用形態を示す縦断面図、図３は本発明の使用形態における横断面図である。ここで、支柱脚部の固定構造１０は、屋上、ベランダ、床スラブ等に立設し手摺りや柵を設置するための支柱を設置するものであって、主壁面１１とその両端側に直角でかつ、互いに対向配設された第２、第３の壁面１２、１３が断面溝形状を成したチャンネル部材１４と、前記チャンネル部材１４の第２、第３の壁面１２、１３の外側に溶着された２本の異形鉄筋材１５とからなり、前記異形鉄筋材１５は、前記チャンネル部材１４から所定寸法だけ長手方向に突出して形成されている。
【００１１】
チャンネル部材１４は、所定位置に支柱材固定用のネジ孔１６が形成されている。また、異形鉄筋材１５は、チャンネル部材１４の長手方向に沿って第２、第３の壁面の外側に溶着されている。第２、第３の壁面の外側に溶着することにより、横方向から荷重を受けた際に、抵抗するモーメントが大きくなり、強固な支柱の固定が可能となる。例えば、チャンネル部材１４の幅をＨ＝４０ｍｍ、ｔ＝３．２ｍｍとした際に、チャンネル部材の内側にＤ１３の異形鉄筋材を溶着した場合では、両異形鉄筋材の軸芯間距離は、４０−１２．７−６．４＝２０．９ｍｍであるが、チャンネル部材の外側にＤ１９の異形鉄筋材を溶着した場合では、両異形鉄筋材の軸芯間距離は、４０＋１９．１＝５９．１ｍｍとなり、約２．８倍以上となる。また、異形鉄筋材１５は、呼称がＤ１６（公称直径１５．９ｍｍ）以上であることが望ましい。Ｄ１６以上とすることにより、コンクリートとの親和性が増して負荷を受けた場合に、応力の集中を緩慢にすることができる。
【００１２】
以上のように構成された本発明に係る支柱脚部の固定構造１０の使用方法について説明する。先ず、図２に示すように屋上、ベランダ、床スラブ等の支柱を立設する位置にチャンネル部材１４をセットした後、コンクリートを打設する。異形鉄筋材１５の一部がコンクリートに埋設し、チャンネル部材１４の下端面がフロアレベル（ＦＬ）となるようにセットする。打設したコンクリートが硬化した後、チャンネル部材１４の上から支柱材１６を装着し、タッピングネジ１７で固定する。この際、タッピングネジ１７は、チャンネル部材１４に穿設されたネジ孔部分にねじ込むことにより、簡易に取り付けることができる。更に、支柱材１６と床スラブとの境部分には、カバー部材１８が取り付けられる。このカバー部材１８は、タッピングネジ１７を取り付ける前に支柱材１７の上から挿通する。
【００１３】
このように本発明の支柱脚部の固定構造を使用して実際に荷重を負荷してみると、図５に示すようにコンクリートブロック１９に生じるひび割れの形状が、異形鉄筋材１５の周囲に集中することなく分散するので、躯体が壊れるまでの耐力を大きくすることができる。図７は、異形鉄筋材１５として、呼称Ｄ１３を用いた場合を示す。異形鉄筋材を第２、第３の壁面の内側に溶着させた場合と比べて、耐力は大きくなる。
図５は、異形鉄筋材１５として呼称Ｄ１６を用いた場合を示す。異形鉄筋材１５の周囲に大きなコンクリートの塊が付着した状態で、コンクリートブロック１９が破壊する。呼称Ｄ１３を用いた場合と比べて、その耐力は１．５倍程度となり、周長の差以上の大きな効果を示した。
したがって、屋上、ベランダ、床スラブ等の所望の位置に支柱を設置しても、転倒モーメントに強い強固な支柱を設置することができる。
【００１４】
図４は、本発明の支柱脚部の固定構造の使用形態を示す正面図である。本実施例において、床スラブ等の所望の位置に柵や手摺りを設置するものである。床等の所定位置にチャンネル部材１４を異形鉄筋材１５で固定し、固定したチャンネル部材１４に上から支柱材１６を装着して、タッピングネジ１７で固定する。所定間隔で立設された支柱材１６には、上枠２０及び下枠２１が取り付けられている。また、上枠２０及び下枠２１の間には、縦に縦桟２２が取り付けられている。更に、上枠２０及び下枠２１の端部と壁面或いは柱と接続する場合には、Ｌ字金具等を使用してアンカーボルトで取り付ける。
【００１５】
なお、本発明は上述の実施例に限定されることなく、特許請求の範囲の記載に基づいて種々の設計変更が可能である。
【図面の簡単な説明】
【００１６】
【図１】図１は、本発明に係る支柱脚部の固定構造の一例を示す斜視図である。
【図２】図２は、同支柱脚部の固定構造の使用形態を示す縦断面図である。
【図３】図３は、同使用形態における横断面図である。
【図４】図４は、同支柱脚部の固定構造の使用形態を示す正面図である。
【図５】図５は、同支柱脚部の固定構造に横方向荷重を加えた場合のコンクリートのひび割れ状態を示す説明図である。
【図６】図６は、従来の支柱脚部の固定構造の一例を示す横断面図である。
【図７】図７は、従来の支柱脚部の固定構造に横方向荷重を加えた場合のコンクリートのひび割れ状態を示す説明図である。
【符号の説明】
【００１７】
１０      支柱脚部の固定構造
１１      主壁面
１２      第２の壁面
１３      第３の壁面
１４      チャンネル部材
１５      異形鉄筋材
１６      支柱材
１７      タッピングネジ
１８      カバー部材
１９      コンクリートブロック
２０      上枠
２１      下枠
２２      縦桟
【図１】
2008174924.tif 000003
【図２】
2008174924.tif 000004
【図３】
2008174924.tif 000005
【図４】
2008174924.tif 000006
【図５】
2008174924.tif 000007
【図６】
2008174924.tif 000008
【図７】
2008174924.tif 000009